(57)【要約】【課題】  本発明は、特に偽造を防止する必要性のある銀行券、パスポート、有価証券、カード、印紙類、商品タグ等の貴重品等に最適な印刷物及びその識別方法並びに識別装置に関する。【解決手段】  基材に少なくとも一つの領域（２ａ）を形成し、前記少なくとも一つの領域（２ａ）は、赤外光吸収スペクトルに、少なくとも二つの吸収帯域（Ａ、Ｂ）と、少なくとも一つの反射帯域（Ｄ）とを有してなる印刷物（１ａ）と、その印刷物を識別する方法及び識別装置である。【選択図】  図１
2005246821.tif 000002
【特許請求の範囲】
【請求項１】
基材に少なくとも一つの領域を形成し、前記少なくとも一つの領域は、赤外光吸収スペクトルに、少なくとも二つの吸収帯域と、少なくとも一つの反射帯域とを有してなる印刷物。
【請求項２】
前記少なくとも一つの領域が単一又は複数の赤外光吸収材料を含有したインキ組成物によって印刷してなる請求項１記載の印刷物。
【請求項３】
前記単一又は複数の赤外光吸収材料が、少なくとも一つの金属酸化物を含む請求項２記載の印刷物。
【請求項４】
前記金属酸化物がチタン酸ニッケル、タングステン酸ニッケル、酸化ネオジウム又は酸化サマリウムである請求項３記載の印刷物。
【請求項５】
前記チタン酸ニッケルであり、第１の吸収帯域を７６０ｎｍ〜９００ｎｍ付近に有し、第２の吸収帯域を１３００ｎｍ〜１５００ｎｍ付近に有し、第１の反射帯域を９５０ｎｍ〜１１２０ｎｍ付近に有する請求項４記載の印刷物。
【請求項６】
前記タングステン酸ニッケルであり、第１の吸収帯域を７６０ｎｍ〜９００ｎｍ付近に有し、第２の吸収帯域を１４００ｎｍ〜１５００ｎｍ付近に有し、第１の反射帯域を９８０ｎｍ〜１１３０ｎｍ付近に有する請求項４記載の印刷物。
【請求項７】
前記酸化ネオジウムであり、第１の吸収帯域を７６０ｎｍ〜７６５ｎｍ付近に有し、第２の吸収帯域を８０５ｎｍ〜８２５ｎｍ付近に有し、第１の反射帯域を７７０ｎｍ〜８００ｎｍ付近に有し、第２の反射帯域を８３５ｎｍ〜９００ｎｍ付近に有する請求項４記載の印刷物。
【請求項８】
前記酸化サマリウムであり、第１の吸収帯域を１０９０ｎｍ付近に有し、第２の吸収帯域を１２５０ｎｍ付近に有し、第３の吸収帯域を１４００ｎｍ〜１６００ｎｍ付近に有し、第１の反射帯域を１０００ｎｍ付近に有し、第２の反射帯域を１１５０ｎｍ付近に有し、第３の反射帯域を１３００ｎｍ付近に有する請求項４記載の印刷物。
【請求項９】
請求項１乃至８のいずれか１項に記載の印刷物の識別方法において、
前記印刷物の少なくとも一つの領域に所定の照射光を照射部によって照射し、
前記照射部によって照射された印刷物の反射光を検出する検出部で、少なくとも二つの吸収帯域、若しくは、少なくとも二つの吸収帯域と少なくとも一つの反射帯域を検出し、
前記検出部で検出された前記少なくとも二つの吸収帯域、若しくは、前記少なくとも二つの吸収帯域と前記少なくとも一つの反射帯域と、予め登録された基準レベルデータとを演算部によって照合し、前記印刷物の真偽を識別する印刷物の識別方法。
【請求項１０】
前記照射部は、可視光から３０００ｎｍ付近の波長を含む照射光を少なくとも二つの赤外線バンドパスフィルタによって分光照射する請求項９記載の印刷物の識別方法。
【請求項１１】
前記照射部は、少なくとも二つの発光波長の異なる赤外線ＬＥＤ又は少なくとも二つの発振波長が異なる赤外線レーザによって照射する請求項９記載の印刷物の識別方法。
【請求項１２】
前記検出部は、前記照射光から反射された反射光を少なくとも二つの赤外線バンドパスフィルタを通して検出する請求項９記載の印刷物の識別方法。
【請求項１３】
請求項１乃至８のいずれか１項に記載の印刷物の識別装置において、
前記印刷物の少なくとも一つの領域に所定の照射光を照射する照射部と、
前記照射部によって照射された印刷物の反射光を検出する検出部で、少なくとも二つの吸収帯域、若しくは、少なくとも二つの吸収帯域と少なくとも一つの反射帯域を検出する検出部と、
前記検出部で検出された前記少なくとも二つの吸収帯域、若しくは、前記少なくとも二つの吸収帯域と前記少なくとも一つの反射帯域と、予め登録された基準レベルデータとを照合する演算部によって、前記印刷物の真偽を識別する印刷物の識別装置。
【請求項１４】
前記照射部は、可視光から３０００ｎｍ付近の波長を含む照射光を少なくとも二つの赤外線バンドパスフィルタによって分光照射する請求項１３記載の印刷物の識別装置。
【請求項１５】
前記照射部は、少なくとも二つの発光波長の異なる赤外線ＬＥＤ又は少なくとも二つの発振波長が異なる赤外線レーザによって照射する請求項１３記載の印刷物の識別装置。
【請求項１６】
前記検出部は、前記照射光から反射された反射光を少なくとも二つの赤外線バンドパスフィルタを通して検出する請求項１３記載の印刷物の識別装置。
【請求項１７】
前記演算部による照合結果を基に、外部に出力する出力部を有する請求項１３、１４、１５又は１６記載の印刷物の識別装置。
【発明の詳細な説明】
【技術分野】
【０００１】
本発明は、基材に少なくとも一つの領域を形成し、少なくとも一つの領域は、赤外光吸収スペクトルに、少なくとも二つの吸収帯域と、少なくとも一つの反射帯域とを有してなる印刷物及びその識別方法並びに識別装置に関する。
【背景技術】
【０００２】
銀行券、パスポート、有価証券、カード、印紙類、商品タグ等の貴重品は、その性質上、偽造、変造されにくいことが要求される。これらの偽造防止策として、赤外光吸収材料をインキに配合し、配合されたインキを用いて貴重品に印刷を施し、印刷された領域は赤外線センサによって吸収ピークの差を読み取り、真偽判別を行うか、可視光スペクトルカットフィルタを具備した赤外可視化装置又は赤外検出器を用いることによって真偽判別を行っていた。
【０００３】
例えば、赤外領域で吸収し、可視光領域では吸収することがない素材であって、近赤外領域、特に９００〜１０００ｎｍの波長域での吸収特性が良好である赤外線吸収材料を含むインキ及び不可視パターンが開示されている（特許文献１参照）。
【特許文献１】特開平９−１０４８５７号公報（第１頁、第１図）
【０００４】
さらに、所望の図柄が設けられた印刷物において、図柄の少なくとも一部を、可視上では容易に識別できない近赤外反射吸収特性の異なる少なくとも２種類のインキを用いて印刷したことを特徴とする真贋判定可能な印刷物が開示されている（特許文献２参照）。
【特許文献２】特開昭６３−１４４０７５号公報（第１頁、第１図）
【発明の開示】
【発明が解決しようとする課題】
【０００５】
しかしながら、特開平９−１０４８５７号公報、特開昭６３−１４４０７５号公報及び公知の赤外光吸収特性を有するインキ組成物で印刷された印刷物の部分は一つの吸収帯域又は一つの反射帯域を示すものであった。このため、一つの吸収帯域又は一つの反射帯域が類似している赤外光吸収特性を有するインキ組成物で偽造されるおそれがあった。また、従来の赤外光吸収特性を有するインキ組成物は基材等の下地の光学特性の影響を受けやすく、基材によってはピークが出現することがなくなるため、基材等の下地の色を自由に選択することができなかった。このようなことから、基材等の下地の光学特性の影響を受け難く、より偽造防止効果の高く、バーコード等の検知パターン、検知マーク等に用いることが可能な赤外光吸収インキ組成物で印刷された印刷物が求められる。
【０００６】
以上のことから、本発明は前述した問題点を解決することを目的としたもので、基材に少なくとも一つの領域を形成し、少なくとも一つの領域は、赤外光吸収スペクトルに、少なくとも二つの吸収帯域と、少なくとも一つの反射帯域とを有してなる印刷物であり、基材等の下地の光学特性の影響を受け難く、より偽造防止効果の高く、バーコード等の検知パターン、検知マーク等に用いることが可能な印刷物及びその識別方法並びに識別装置を提案するものである。
【課題を解決するための手段】
【０００７】
本発明は、基材に少なくとも一つの領域を形成し、前記少なくとも一つの領域は、赤外光吸収スペクトルに、少なくとも二つの吸収帯域と、少なくとも一つの反射帯域とを有してなる印刷物である。
【０００８】
また、本発明は、前記少なくとも一つの領域が単一又は複数の赤外光吸収材料を含有したインキ組成物によって印刷してなる印刷物である。
【０００９】
また、本発明は、前記単一又は複数の赤外光吸収材料が、少なくとも一つの金属酸化物を含む印刷物である。
【００１０】
また、本発明は、前記金属酸化物がチタン酸ニッケル、タングステン酸ニッケル、酸化ネオジウム又は酸化サマリウムである印刷物である。
【００１１】
また、本発明は、前記チタン酸ニッケルであり、第１の吸収帯域を７６０ｎｍ〜９００ｎｍ付近に有し、第２の吸収帯域を１３００ｎｍ〜１５００ｎｍ付近に有し、第１の反射帯域を９５０ｎｍ〜１１２０ｎｍ付近に有する印刷物である。
【００１２】
また、本発明は、前記タングステン酸ニッケルであり、第１の吸収帯域を７６０ｎｍ〜９００ｎｍ付近に有し、第２の吸収帯域を１４００ｎｍ〜１５００ｎｍ付近に有し、第１の反射帯域を９８０ｎｍ〜１１３０ｎｍ付近に有する印刷物である。
【００１３】
また、本発明は、前記酸化ネオジウムであり、第１の吸収帯域を７６０ｎｍ〜７６５ｎｍ付近に有し、第２の吸収帯域を８０５ｎｍ〜８２５ｎｍ付近に有し、第１の反射帯域を７７０ｎｍ〜８００ｎｍ付近に有し、第２の反射帯域を８３５ｎｍ〜９００ｎｍ付近に有する印刷物である。
【００１４】
また、本発明は、前記酸化サマリウムであり、第１の吸収帯域を１０９０ｎｍ付近に有し、第２の吸収帯域を１２５０ｎｍ付近に有し、第３の吸収帯域を１４００ｎｍ〜１６００ｎｍ付近に有し、第１の反射帯域を１０００ｎｍ付近に有し、第２の反射帯域を１１５０ｎｍ付近に有し、第３の反射帯域を１３００ｎｍ付近に有する印刷物である。
【００１５】
また、本発明は、上記記載の印刷物の識別方法において、前記印刷物の少なくとも一つの領域に所定の照射光を照射部によって照射し、前記照射部によって照射された印刷物の反射光を検出する検出部で、少なくとも二つの吸収帯域、若しくは、少なくとも二つの吸収帯域と少なくとも一つの反射帯域を検出し、前記検出部で検出された前記少なくとも二つの吸収帯域、若しくは、前記少なくとも二つの吸収帯域と前記少なくとも一つの反射帯域と、予め登録された基準レベルデータとを演算部によって照合し、前記印刷物の真偽を識別する印刷物の識別方法である。
【００１６】
また、本発明は、前記照射部は、可視光から３０００ｎｍ付近の波長を含む照射光を少なくとも二つの赤外線バンドパスフィルタによって分光照射する印刷物の識別方法である。
【００１７】
また、本発明は、前記照射部は、少なくとも二つの発光波長の異なる赤外線ＬＥＤ又は少なくとも二つの発振波長が異なる赤外線レーザによって照射する印刷物の識別方法である。
【００１８】
また、本発明は、前記検出部は、前記照射光から反射された反射光を少なくとも二つの赤外線バンドパスフィルタを通して検出する印刷物の識別方法である。
【００１９】
また、本発明は、上記記載の印刷物の識別装置において、前記印刷物の少なくとも一つの領域に所定の照射光を照射する照射部と、前記照射部によって照射された印刷物の反射光を検出する検出部で、少なくとも二つの吸収帯域、若しくは、少なくとも二つの吸収帯域と少なくとも一つの反射帯域を検出する検出部と、前記検出部で検出された前記少なくとも二つの吸収帯域、若しくは、前記少なくとも二つの吸収帯域と前記少なくとも一つの反射帯域と、予め登録された基準レベルデータとを照合する演算部によって、前記印刷物の真偽を識別する印刷物の識別装置である。
【００２０】
また、本発明は、前記照射部は、可視光から３０００ｎｍ付近の波長を含む照射光を少なくとも二つの赤外線バンドパスフィルタによって分光照射する印刷物の識別装置である。
【００２１】
また、本発明は、前記照射部は、少なくとも二つの発光波長の異なる赤外線ＬＥＤ又は少なくとも二つの発振波長が異なる赤外線レーザによって照射する印刷物の識別装置である。
【００２２】
また、本発明は、前記検出部は、前記照射光から反射された反射光を少なくとも二つの赤外線バンドパスフィルタを通して検出する印刷物の識別装置である。
【００２３】
また、本発明は、前記演算部による照合結果を基に、外部に出力する出力部を有する印刷物の識別装置である。
【発明の効果】
【００２４】
基材に少なくとも一つの領域を形成し、少なくとも一つの領域は、赤外光吸収スペクトルに、少なくとも二つの吸収帯域と、少なくとも一つの反射帯域とを有してなる印刷物であって、印刷物の少なくとも一つの領域は、赤外光吸収スペクトルに、少なくとも二つの吸収帯域と、少なくとも一つの反射帯域とを有するため、例えば、検知パターン、検知マークを印刷した場合に少なくとも二以上の吸収帯域、若しくは、少なくとも二以上の吸収帯域と少なくとも一以上の反射帯域によって真偽判別が可能であるため、偽造されることなく、真偽判別の信頼性に優れる。また、基材等の下地の光学特性の影響を受け難いため、基材等の下地の色を限定されることがない印刷物を得ることができる。さらに、無色に近い透明インキ組成物として利用可能となるため、少なくとも一つの領域は秘匿性のある情報、例えばバーコード等の検知パターン、検知マーク等を肉眼では認識し難い不可視情報として用いることができる。よって、銀行券、パスポート、有価証券、カード、印紙類、商品タグ等の貴重品に適用することができる。
【００２５】
また、本発明の印刷物の識別方法及び識別装置は、照射部に可視光から３０００ｎｍ付近の波長を含む照射光を少なくとも二つの赤外線バンドパスフィルタによって分光照射するか、若しくは、少なくとも二つの発光波長の異なる赤外線ＬＥＤ又は少なくとも二つの発振波長が異なる赤外線レーザによって照射することによって、短時間で正確に少なくとも二つの吸収帯域と少なくとも一つの反射帯域を検出が可能となる。検出部は、照射光から反射された反射光を少なくとも二つの赤外線バンドパスフィルタを通して検出することによって短時間で正確に少なくとも二以上の吸収帯域と少なくとも一以上の反射帯域を検出が可能となる。
【発明を実施するための最良の形態】
【００２６】
本発明の実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００２７】
本発明は、基材に少なくとも一つの領域を形成し、少なくとも一つの領域は、赤外光吸収スペクトルに、少なくとも二つの吸収帯域と、少なくとも一つの反射帯域とを有してなる印刷物である。詳細には、基材に可視波長領域での吸収が少なく、単一又は複数の赤外光吸収材料を含有したインキ組成物によって印刷して成る印刷物であって、印刷物の少なくとも一つの領域は、赤外光吸収スペクトルに、少なくとも二つの吸収帯域と、少なくとも一つの反射帯域とを有する。少なくとも一つの領域は７６０ｎｍ〜３０００ｎｍ程度の近赤外領域で少なくとも二つの吸収帯域と、少なくとも一つの反射帯域とを有することが好ましい。単一又複数の赤外光吸収材料は無機化合物又は混合物から成り、無機複合酸化物又は無機酸化物が好ましい。ここで言う、単一又は複数の赤外光吸収材料について説明する。単一の赤外光吸収材料はチタン酸ニッケル、タングステン酸ニッケル、酸化ネオジウム、又は、酸化サマリウム等の金属酸化物あり、複数の赤外光吸収材料は、上記記載のチタン酸ニッケル、タングステン酸ニッケル、酸化ネオジウム、又は、酸化サマリウム等の金属酸化物、さらには、一つの吸収帯域又は一つの反射帯域を有する赤外光吸収材料（例えば、α−酸化鉄、酸化ジスプロシウム等）のうち、二種類以上を選択したものである。二種類以上の赤外光吸収材料は各々異なる吸収帯域又は反射帯域を示す吸収帯域を有する必要がある。
【００２８】
チタン酸ニッケルは、分光反射率が４０％程度以下で第１の吸収帯域を７６０ｎｍ〜９００ｎｍ付近に有し、さらに分光反射率が４０％程度以下で第２の吸収帯域を１３００ｎｍ〜１５００ｎｍ付近に有する。さらに詳細には、分光反射率が４０％程度以下で第１の吸収帯域を７６０ｎｍ〜９００ｎｍ付近に有し、分光反射率が４０％程度以下で第２の吸収帯域を１３００ｎｍ〜１５００ｎｍ付近に有し、分光反射率が７０％程度以上で第１の反射帯域を波長９５０ｎｍ〜１１２０ｎｍ付近に有する。この場合の％は７６０ｎｍ〜３０００ｎｍの赤外領域において、硫酸バリウム又は酸化アルミニウムの分光反射率を１００％とした場合である。
【００２９】
タングステン酸ニッケルは、分光反射率が４０％程度以下で第１の吸収帯域を７６０ｎｍ〜９００ｎｍ付近に有し、さらに分光反射率が４０％程度以下で第２の吸収帯域を１４００ｎｍ〜１５００ｎｍ付近に有する。さらに詳細には、分光反射率が４０％程度以下で第１の吸収帯域を７６０ｎｍ〜９００ｎｍ付近に有し、分光反射率が４０％程度以下で第２の吸収帯域を１４００ｎｍ〜１５００ｎｍ付近に有し、分光反射率が７０％程度以上で第１の反射帯域を９８０ｎｍ〜１１３０ｎｍ付近に有する。この場合の％は７６０ｎｍ〜３０００ｎｍの赤外領域において、硫酸バリウム又は酸化アルミニウムの分光反射率を１００％とした場合である。
【００３０】
酸化ネオジウムは、分光反射率が５０％程度以下で第１の吸収帯域を７６０ｎｍ〜７６５ｎｍ付近に有し、さらに分光反射率が５０％程度以下で第２の吸収帯域を８０５ｎｍ〜８２５ｎｍ付近に有する。さらに詳細には、分光反射率が５０％程度以下で第１の吸収帯域を７６０ｎｍ〜７６５ｎｍ付近に有し、分光反射率が５０％程度以下で第２の吸収帯域を８０５ｎｍ〜８２５ｎｍ付近に有し、分光反射率が８０％程度以上で第１の反射帯域を７７０ｎｍ〜８００ｎｍ付近に有し、分光反射率が８０％程度以上で第２の反射帯域を８３５ｎｍ〜９００ｎｍ付近に有する。この場合の％は７６０ｎｍ〜３０００ｎｍの赤外領域において、硫酸バリウム又は酸化アルミニウムの分光反射率を１００％とした場合である。
【００３１】
酸化サマリウムは、分光反射率が７０％程度以下で第１の吸収帯域を１０９０ｎｍ付近に有し、分光反射率が７０％程度以下で第２の吸収帯域を１２５０ｎｍ付近に有し、さらに分光反射率が７０％程度以下で第３の吸収帯域を１４００ｎｍ〜１６００ｎｍ付近に有する。さらに詳細には、分光反射率が７０％程度以下で第１の吸収帯域を１０９０ｎｍ付近に有し、分光反射率が７０％程度以下で第２の吸収帯域を１２５０ｎｍ付近に有し、分光反射率が７０％程度以下で第３の吸収帯域を１４００ｎｍ〜１６００ｎｍ付近に有し、分光反射率が８０％程度以上で第１の反射帯域を１０００ｎｍ付近に有し、分光反射率が８０％程度以上で第２の反射帯域を１１５０ｎｍ付近に有し、分光反射率が８０％程度以上で第３の反射帯域を１３００ｎｍ付近に有する。この場合の％は７６０ｎｍ〜３０００ｎｍの赤外領域において、硫酸バリウム又は酸化アルミニウムの分光反射率を１００％とした場合である。
【００３２】
上記記載のチタン酸ニッケル、タングステン酸ニッケル、酸化ネオジウム、又は、酸化サマリウムの分光反射率は、赤外光吸収特性を有するインキ組成物１００重量部中に赤外光吸収材料１５重量部程度配合した、赤外光吸収特性を有するインキ組成物を白色紙上にインキ膜厚は１２．５μｍ程度で展色物の測定を行ったものである。よって、上記記載の吸収帯域及び反射帯域の数値は限定されるものではなく、赤外光吸収材料の配合割合、基材の分光反射率及びインキ膜厚の厚さによって、可視光及び赤外領域の分光反射率は異なるものである。
【００３３】
ここで言う、吸収帯域又は反射帯域とは、分光反射率曲線に、吸収と反射によって急激なピーク曲線を示すものであり、赤外光吸収特性を有するインキ組成物１００重量部中に赤外光吸収材料１５重量部程度配合した、赤外光吸収特性を有するインキ組成物を白色紙上にインキ膜厚は１２．５μｍ程度において、硫酸バリウム又は酸化アルミニウムの分光反射率を１００％とした場合、各々のピークの吸収帯域と反射帯域の差が２０％程度以上を有するものであり、好ましくは４０％程度以上を有するものである。例えば、赤外光吸収特性を有するインキ組成物１００重量部中に赤外光吸収材料６０重量部程度配合した、赤外光吸収特性を有するインキ組成物を黒色紙上にインキ膜厚は１０μｍ程度において、硫酸バリウム又は酸化アルミニウムの分光反射率を１００％とした場合、各々のピークの吸収帯域と反射帯域の差が１０％程度を有するものとなる。基材の分光反射率が低いもの、インキ膜厚は薄いもの、赤外光吸収材料の含有量が少ないものは、吸収帯域と反射帯域の差が小さくなる。
【００３４】
少なくとも二つの吸収帯域と、少なくとも一つの反射帯域を有するチタン酸ニッケル、タングステン酸ニッケル、酸化ネオジウム、及び、酸化サマリウム等の金属酸化物からなる赤外光吸収材料及び一つの吸収帯域又は一つの反射帯域を有するα−酸化鉄、酸化ジスプロシウム等からなる赤外光吸収材料を少なくとも一つをビヒクル等に混合し、インキ組成物を得て基材に印刷する。また、塗被紙等に用いるコーティング組成物に含有することも可能である。本発明の印刷物は真偽判別用として用いることが最適であるため、銀行券、パスポート、有価証券、カード、印紙類、商品タグ等の貴重品に適用することが好ましい。インキ組成物等に赤外光吸収材料を用いる場合は、赤外光吸収材料の粒子径は０．００１μｍ〜１０μｍ程度が好ましい。
【００３５】
印刷物を印刷するためのインキ組成物は、ビヒクルに上記記載の赤外光吸収材料を含有する必要があり、ビヒクルとは、油分を主体に、樹脂類、適度な粘度、流動特性を与える溶剤等で構成される。赤外光吸収材料を含有するビヒクルは特に限定されるものではない。例えば、アマニ油、オリーブ油、ヒマシ油、ヒマワリ油などの油脂類、鯨ロウ、ミツロウ、ラノリン、カルナウバワックス、キャンデリアワックス、モンタンワックスなどの天然ワックス類、パラフィンワックス、マイクロクリスタリンワックス、酸化ワックス、エステルワックス、低分子量ポリエチレンなどの合成ワックス類、ラウリン酸、ミリスチン酸、パルミチン酸、ステアリン酸、フロメン酸、ヘベニン酸などの高級脂肪酸類、ステアリルアルコール、ヘベニルアルコールなどの高級アルコール類、ワセリン、グリセリンなどの石鹸類、グルコース、エチレングルコース、アミロースなどの炭化水素類、脂肪酸エステルなどのエステル類、ステアリンアミド、オレインアミドなどのアミド類、ポリアミド系樹脂、ポリエステル系樹脂、エポキシ系樹脂、ポリウレタン系樹脂、アクリル系樹脂、塩化ビニル系樹脂、セルロース系樹脂、ポリビニル系樹脂、石油系樹脂、エチレン−酢酸ビニル共重合体樹脂、フェノール系樹脂、スチレン系樹脂、ロジン変性樹脂、テルビン樹脂などの樹脂類、天然ゴム、スチレンブタジエンゴム、イソプレンゴム、クロロプレンゴムなどのエラストマー類、水添石油樹脂、シリコーン、流動パラフィン、フッ素樹脂などのタッキファイヤー類などを単独又は混合して用いることができる。さらに、必要に応じて分散媒に顔料、染料、界面活性剤、充填剤、酸化防止剤、乾燥剤などを添加して使用してもよい。
【００３６】
その他に、ビヒクルに上記記載の赤外光吸収材料を含有されたインキに蛍光顔料、パール顔料、ガラスフレーク、コレステリック液晶顔料、蓄光顔料等の機能性顔料を含有してもよい。
【００３７】
赤外光吸収特性を有するインキ組成物はビヒクルに上記記載の少なくとも一つの赤外光吸収材料を配合させて赤外光吸収特性を有する組成物とする。つまり、赤外領域を吸収させる材料としては、単独もしくは複数の材料を組み合わせることにより、任意に吸収ピークを設定することが可能となる。赤外光吸収剤としてニッケル酸化チタン焼成物を単独もしくはニッケル酸化チタン焼成物と、金属錯体、赤外線吸収剤及びＩＴＯ等のいずれかを用い、分散させることも可能である。
【００３８】
赤外光吸収特性を有するインキ組成物としては、オフセット用インキ、グラビア用インキ、スクリーン用インキ、凹版用インキ等に使用される一般的な紫外線硬化型インキ、酸化重合型インキ、溶剤型インキ、水性蒸発型インキ等に使用される通常の乾燥方式を用いることが可能であり、特に限定されるものではない。インキの盛りを形成できるグラビア用インキ、スクリーン用インキ、凹版用インキに使用することがより好ましい。よって、線画、網点、ベタなど任意の大きさで付与することが可能である。
【００３９】
印刷用基材は通常印刷用基材として使用される、紙、プラスチック等に用いることが可能であり、特に限定されるものではない。本発明の印刷物は、印刷機によって印刷される他に、塗工機によって塗工してもよい。この場合は、インキ組成物ではなく、一般の塗被組成物にチタン酸ニッケル、タングステン酸ニッケル、酸化ネオジウム、又は、酸化サマリウム等を含有する。
【００４０】
図１（ａ）に示すように、基材にチタン酸ニッケルが含有された赤外光吸収特性を有するインキ組成物で印刷された印刷物１ａは印刷部分２ａにおいて図１（ｂ）に示すように、分光反射率が４０％程度以下で第１の吸収帯域（Ａ）を７６０ｎｍ〜９００ｎｍ付近に有し、分光反射率が４０％程度以下で第２の吸収帯域（Ｂ）を１３００ｎｍ〜１５００ｎｍ付近に有し、分光反射率が７０％程度以上で第１の反射帯域（Ｄ）を波長９５０ｎｍ〜１１２０ｎｍ付近に有する。
【００４１】
図２（ａ）に示すように、タングステン酸ニッケルが含有された赤外光吸収特性を有するインキ組成物で印刷された印刷物１ｂは印刷部分２ｂにおいて図２（ｂ）に示すように、分光反射率が４０％程度以下で第１の吸収帯域（Ａ）を７６０ｎｍ〜９００ｎｍ付近に有し、分光反射率が４０％程度以下で第２の吸収帯域（Ｂ）を１４００ｎｍ〜１５００ｎｍ付近に有し、分光反射率が７０％程度以上で第１の反射帯域（Ｄ）を９８０ｎｍ〜１１３０ｎｍ付近に有する。
【００４２】
図３（ａ）に示すように、酸化ネオジウムが含有された赤外光吸収特性を有するインキ組成物で印刷された印刷物１ｃは印刷部分２ｃにおいて図３（ｂ）に示すように、分光反射率が５０％程度以下で第１の吸収帯域（Ａ）を７６０ｎｍ〜７６５ｎｍ付近に有し、分光反射率が５０％程度以下で第２の吸収帯域（Ｂ）を８０５ｎｍ〜８２５ｎｍ付近に有し、分光反射率が８０％程度以上で第１の反射帯域（Ｄ）を７７０ｎｍ〜８００ｎｍ付近に有し、分光反射率が８０％程度以上で第２の反射帯域（Ｅ）を波長８３５ｎｍ〜９００ｎｍ付近に有する。
【００４３】
図４（ａ）に示すように、酸化サマリウムが含有された赤外光吸収特性を有するインキ組成物で印刷された印刷物１ｄは印刷部分２ｄにおいて図４（ｂ）に示すように、分光反射率が７０％程度以下で第１の吸収帯域（Ａ）を１０９０ｎｍ付近に有し、分光反射率が７０％程度以下で第２の吸収帯域（Ｂ）を１２５０ｎｍ付近に有し、分光反射率が７０％程度以下で第３の吸収帯域（Ｃ）を１４００ｎｍ〜１６００ｎｍ付近に有し、分光反射率が８０％程度以上で第１の反射帯域（Ｄ）を１０００ｎｍ付近に有し、分光反射率が８０％程度以上で第２の反射帯域（Ｅ）を１１５０ｎｍ付近に有し、分光反射率が８０％程度以上で第３の反射帯域（Ｆ）を１３００ｎｍ付近に有する。
【００４４】
図５（ａ）に示すように、酸化ネオジウム及び酸化ジスプロシウムが含有された赤外光吸収特性を有するインキ組成物で印刷された印刷物１ｅは印刷部分２ｅにおいて図５（ｂ）に示すように、分光反射率が７０％程度以下で第１の吸収帯域（Ａ）を７６０ｎｍ付近にピークを有し、分光反射率が７０％程度以下で第２の吸収帯域（Ｂ）を８１０ｎｍ付近にピークを有し、分光反射率が７０％程度以下で第３の吸収帯域（Ｃ）を１２５０ｎｍ付近にピークを有し、分光反射率が９０％程度以上で第１の反射帯域（Ｄ）を７８０ｎｍ付近にピークを有し、分光反射率が９０％程度以上で第２の反射帯域（Ｅ）を８５０ｎｍ付近にピークを有し、分光反射率が９０％程度以上で第３の反射帯域（Ｆ）を１３００ｎｍ付近にピークを有する。
【００４５】
図６（ａ）に示すように、α-酸化鉄及び酸化ジスプロシウムが含有された赤外光吸収特性を有するインキ組成物で印刷された印刷物１ｆは印刷部分２ｆにおいて図６（ｂ）に示すように、分光反射率が４０％程度以下で第１の吸収帯域（Ａ）を７８０ｎｍ〜９４０ｎｍ付近にピークを有し、分光反射率が６０％程度以下で第２の吸収帯域（Ｂ）を１２５０ｎｍ付近にピークを有し、分光反射率が８０％程度以上で第１の反射帯域（Ｄ）を１０５０ｎｍ〜１２００ｎｍ付近にピークを有し、分光反射率が８０％程度以上で第２の反射帯域（Ｅ）を１２８０ｎｍ〜１４００ｎｍ付近にピークを有する。
【００４６】
上記記載の印刷物１ａ、印刷物１ｂ、印刷物１ｃ、印刷物１ｄ、印刷物１ｅ、印刷物１ｆは赤外光吸収特性を有するインキ組成物１００重量部中に赤外光吸収材料１５重量部程度配合した、赤外光吸収特性を有するインキ組成物を白色紙上にインキ膜厚は１２．５μｍ程度で印刷物を測定したものであり、硫酸バリウム又は酸化アルミニウムの分光反射率を１００％とした場合、各々のピークの吸収帯域と反射帯域の差が２０％程度以上を有するものであり、好ましくは４０％程度以上を有するものである。よって、上記記載の吸収帯域及び反射帯域の数値は限定されるものではなく、赤外光吸収材料の配合割合、基材の分光反射率及びインキ膜厚の厚さによって、可視光及び赤外領域の分光反射率は異なるものである。例えば、赤外光吸収特性を有するインキ組成物１００重量部中に赤外光吸収材料６０重量部程度配合した、赤外光吸収特性を有するインキ組成物を黒色紙上にインキ膜厚は１０μｍ程度において、硫酸バリウム又は酸化アルミニウムの分光反射率を１００％とした場合、各々のピークの吸収帯域と反射帯域の差が１０％程度を有するものとなる。基材の分光反射率が低いもの、インキ膜厚は薄いもの、赤外光吸収材料の含有量が少ないものは、吸収帯域と反射帯域の差が小さくなる。
【００４７】
上記記載の印刷物の識別方法について図７を用いて記載する。ＳＴＥＰ１で上記印刷物の印刷部分に所定の照射光を照射部によって照射し、ＳＴＥＰ２で照射部によって照射された印刷物の反射光を検出する検出部で、少なくとも二つの吸収帯域、若しくは、少なくとも二つの吸収帯域と少なくとも一つの反射帯域を検出する検出し、ＳＴＥＰ３で検出部で検出された少なくとも二つの吸収帯域、若しくは、少なくとも二つの吸収帯域と少なくとも一つの反射帯域と、予め登録された基準レベルデータとを演算部によって照合し、印刷物の真偽を識別する。
【００４８】
また、本発明の印刷物の識別方法は、照射部に可視光から３０００ｎｍ付近の波長を含む照射光を少なくとも二つの赤外線バンドパスフィルタによって分光照射するか、若しくは、少なくとも二つの発光波長の異なる赤外線ＬＥＤ又は少なくとも二つの発振波長が異なる赤外線レーザによって照射することによって、短時間で正確に少なくとも二つの吸収帯域と少なくとも一つの反射帯域を検出が可能となる。照射部で上記記載の少なくとも二つの赤外線バンドパスフィルタ、赤外線ＬＥＤ又は赤外線レーザを用いない場合は、検出部で、照射光から反射された反射光を少なくとも二つの赤外線バンドパスフィルタを通して検出することによって、短時間で正確に少なくとも２以上の吸収帯域と少なくとも１以上の反射帯域を検出することが可能となる。
【００４９】
照射部で少なくとも二つの赤外線バンドパスフィルタによって分光照射して印刷物を識別する例を印刷物１ａを用いて説明する。印刷物１ａを識別する場合、印刷物１ａの印刷部分に赤外線バンドパスフィルタ等によって７６０ｎｍ〜９００ｎｍ付近及び１３００ｎｍ〜１５００ｎｍ付近、若しくは、７６０ｎｍ〜９００ｎｍ付近、１３００ｎｍ〜１５００ｎｍ及び９５０ｎｍ〜１１２０ｎｍ付近の照射光を照射し、照射部によって照射された印刷物の反射光を検出する検出部で、第１の吸収帯域及び第２の吸収帯域、若しくは、第１の吸収帯域、第２の吸収帯域及び第１の反射帯域を検出し、検出された第１の吸収帯域及び第２の吸収帯域、若しくは、第１の吸収帯域、第２の吸収帯域及び第１の反射帯域を、第１の吸収帯域と予め登録された第１の基準レベルデータ、第２の吸収帯域と予め登録された第２の基準レベルデータ、若しくは、第１の吸収帯域と予め登録された第１の基準レベルデータ、第２の吸収帯域と予め登録された第２の基準レベルデータ、第１の反射帯域と予め登録された第３の基準レベルデータとを演算部によって照合し、印刷物１ａの真偽を識別する。
【００５０】
検出部で照射光から反射された反射光を少なくとも二つの赤外線バンドパスフィルタを通して検出して印刷物を識別する例を印刷物１ａを用いて説明する。印刷物１ａを識別する場合、印刷物１ａの印刷部分に照射光を照射部によって照射し、照射部によって照射された印刷物の反射光を７６０ｎｍ〜９００ｎｍ付近及び１３００ｎｍ〜１５００ｎｍ付近、若しくは、７６０ｎｍ〜９００ｎｍ付近、１３００ｎｍ〜１５００ｎｍ及び９５０ｎｍ〜１１２０ｎｍ付近の赤外線バンドパスフィルタを通して、第１の吸収帯域及び第２の吸収帯域、若しくは、第１の吸収帯域、第２の吸収帯域及び第１の反射帯域を検出部で検出し、検出された第１の吸収帯域及び第２の吸収帯域、若しくは、第１の吸収帯域、第２の吸収帯域及び第１の反射帯域を、第１の吸収帯域と予め登録された第１の基準レベルデータ、第２の吸収帯域と予め登録された第２の基準レベルデータ、若しくは、第１の吸収帯域と予め登録された第１の基準レベルデータ、第２の吸収帯域と予め登録された第２の基準レベルデータ、第１の反射帯域と予め登録された第３の基準レベルデータとを演算部によって照合し、印刷物１ａの真偽を識別する。
【００５１】
印刷物１ｂ、印刷物１ｃ、印刷物１ｄ、印刷物１ｅ、印刷物１ｆにおいても同様な方法で識別可能である。ただし、赤外線バンドパスフィルタ等の数、吸収帯域又は反射帯域の数、基準レベルデータの数は用いる赤外光吸収インキ組成物によっては異なり、任意に設定することができる。
【００５２】
上記記載の印刷物の識別装置について図８を用いて記載する。印刷物の印刷部分に所定の照射光を照射する照射部（１１）と、照射部によって照射された印刷物の反射光を検出する検出部（１２）で、少なくとも二つの吸収帯域、若しくは、少なくとも二つの吸収帯域と少なくとも一つの反射帯域を検出する検出部と、検出部で検出された少なくとも二つの吸収帯域、若しくは、少なくとも二つの吸収帯域と少なくとも一つの反射帯域と、予め登録された基準レベルデータとを照合する演算部（１３）によって、印刷物の真偽を識別する印刷物の識別装置である。
【００５３】
図９（ａ）に示すように照射部は、可視光から３０００ｎｍ付近の波長を含む照射光を少なくとも二つの赤外線バンドパスフィルタ（１４）によって分光照射するか、若しくは、少なくとも二つの発光波長の異なる赤外線ＬＥＤ又は少なくとも二つの発振波長が異なる赤外線レーザによって照射することによって、短時間で正確に少なくとも二つの吸収帯域と少なくとも一つの反射帯域を検出することが可能となる。
【００５４】
図９（ｂ）に示すように照射部で上記記載の少なくとも二つの赤外線バンドパスフィルタ、赤外線ＬＥＤ又は赤外線レーザを用いない場合は、検出部で、照射光から反射された反射光を少なくとも二つの赤外線バンドパスフィルタ（１４）を通して検出することによって短時間で正確に少なくとも二以上の吸収帯域と少なくとも一以上の反射帯域を検出すすことが可能となる。
【００５５】
図１０は、基材に印刷部分２ｇを形成し、印刷部分２ｇは第１の印刷部分１５ａと第２の印刷部分１５ｂに区分される。第１の印刷部分１５ａと第２の印刷部分１５ｂは同色又は、ほぼ同色のインキで印刷される。ここで言う同色のインキとは、分光光度計で色差ΔＥが３以下である必要がある。色差ΔＥが３より大きいと第１の印刷部分１５ａと第２の印刷部分１５ｂに肉眼で区分けして視認されるおそれが生じる。第１の印刷部分１５ａは、少なくとも二以上のピークを示す吸収帯域を有するチタン酸ニッケル、タングステン酸ニッケル、酸化ネオジウム、及び、酸化サマリウム等が含まれる金属酸化物からなる赤外光吸収材料及び一つのピークを有するα−酸化鉄、酸化ジスプロシウム等からなる赤外光吸収材料を少なくとも一つをビヒクル等に混合し、赤外光吸収特性を有するインキ組成物で印刷され、第２の印刷部分１５ｂは、赤外領域において一つの分光反射率の吸収ピークを有する赤外光吸収材料が配合された赤外吸収特性を有するインキ組成物又は、第１の印刷部分１５ａとは異なる吸収波長を有するインキ組成物によって印刷し、印刷物１ｇを得る。
【００５６】
このため、印刷物１ｇは第１の印刷部分１５ａと第２の印刷部分１５ｂは同色又はほぼ同色のインキで印刷されているため肉眼では認識することができない。
【００５７】
印刷物１ｇに対して、赤外領域の吸収又は反射を検出することによって、第１の印刷部分１５ａの少なくとも２つの吸収帯域が検出され、第２の印刷部分１５ｂは吸収帯域が検出されないか、若しくは、一つの吸収帯域が検出されることによって、第１の印刷部分１５ａと第２の印刷部分１５ｂとの違いによって真偽判別を行う。
【００５８】
検出部によって検出された少なくとも二つの吸収帯域、若しくは少なくとも二つの吸収帯域と少なくとも一つの反射帯域と、予め登録された基準レベルデータとを演算部で照合した結果に基づき、出力部で外部に出力することで、真偽判別結果を認識することが可能となる。出力する形態は、画面上への表示、感熱紙又はインクジェットによるプリント、振動、音声、触感等、人間に認識できる方法であればこれに限定しない。
【００５９】
以下、実施例を用いて本発明をさらに詳細に説明するが、本発明の内容は、これらの実施例の範囲に限定されるものではない。
【００６０】
（実施例1）
微粒子チタン酸ニッケルを１５重量部、体質顔料として炭酸カルシウム５重量部、合成樹脂としてロジン変性フェノール樹脂２５．６重量部、植物油として桐油及び亜麻仁油を４１．５重量部、石油系溶媒１２．８重量部、助剤として乾燥剤を０．１重量部とを混合して、赤外光吸収特性を有するインキ組成物を調整した。
【００６１】
上記赤外光吸収特性を有するインキ組成物を用い、白色紙上にアプリケータを用い実施例１の印刷物を作製した。硫酸バリウム又は酸化アルミニウムの分光反射率を１００％とした場合に、分光反射率が４０％程度以下で第１の吸収帯域を７６０ｎｍ〜９００ｎｍ付近にピークを示し、さらに分光反射率が４０％程度以下で第２の吸収帯域を波長１３００ｎｍ〜１５００ｎｍ付近にピークを示し、分光反射率が７０％程度以上で第１の反射帯域を波長９５０ｎｍ〜１１２０ｎｍ付近にピークを示した。
【００６２】
上記実施例１の印刷物を識別装置によって読み取ることにより、二つの吸収帯域と、一つの反射帯域とを検出して真偽判別ができるため、従来の一つの吸収帯域又は一つの反射帯域で真偽判別していたものよりも真偽判別効果が優れる。
【００６３】
（実施例２）
微粒子タングステン酸ニッケルを１５重量部、体質顔料として炭酸カルシウム５重量部、合成樹脂としてロジン変性フェノール樹脂２５．６重量部、植物油として桐油および亜麻仁油を４１．５重量部、石油系溶媒１２．８重量部、助剤として乾燥剤を０．１重量部とを混合して、赤外光吸収特性を有するインキ組成物を調整した。
【００６４】
上記赤外光吸収特性を有するインキ組成物を用い、白色紙上にアプリケータを用い実施例２の印刷物を作製した。硫酸バリウム又は酸化アルミニウムの分光反射率を１００％とした場合に、分光反射率が４０％程度以下で第１の吸収帯域を７６０ｎｍ〜９００ｎｍ付近にピークを示し、さらに分光反射率が４０％程度以下で第２の吸収帯域を波長１４００ｎｍ〜１５００ｎｍ付近にピークを示し、分光反射率が７０％程度以上で第１の反射帯域を波長９８０ｎｍ〜１１３０ｎｍ付近にピークを示していた。
【００６５】
上記実施例２の印刷物を識別装置によって読み取ることにより、二つの吸収帯域と、一つの反射帯域とを検出して真偽判別ができるため、従来の一つの吸収帯域又は一つの反射帯域で真偽判別していたものよりも真偽判別効果が優れる。
【００６６】
（実施例３）
酸化ネオジウム(レアメタリック社製)を１５重量部、体質顔料として炭酸カルシウム５重量部、合成樹脂としてロジン変性フェノール樹脂２５．６重量部、植物油として桐油及び亜麻仁油を４１．５重量部、石油系溶媒１２．８重量部、助剤として乾燥剤を０．１重量部とを混合して、赤外光吸収特性を有するインキ組成物を調整した。
【００６７】
上記赤外光吸収特性を有するインキ組成物を用い、白色紙上にアプリケータを用い実施例３の印刷物を作製した。硫酸バリウム又は酸化アルミニウムの分光反射率を１００％とした場合に、分光反射率が５０％程度以下で第１の吸収帯域を７６０ｎｍ〜７６５ｎｍ付近にピークを示し、さらに分光反射率が５０％程度以下で第２の吸収帯域を８０５ｎｍ〜８２５ｎｍ付近にピークを示し、分光反射率が８０％程度以上で第１の反射帯域を波長７７０ｎｍ〜８００ｎｍ付近にピークを示し、分光反射率が８０％程度以上で第２の反射帯域を波長８３５ｎｍ〜９００ｎｍ付近にピークを示していた。
【００６８】
上記実施例３の印刷物を識別装置によって読み取ることにより、二つの吸収帯域と、二つの反射帯域とを検出して真偽判別ができるため、従来の１つの吸収帯域又は１つの反射帯域で真偽判別していたものよりも真偽判別効果が優れる。
【００６９】
（実施例４）
酸化サマリウム(高純度化学研究所社製)を１５重量部、体質顔料として炭酸カルシウム５重量部、合成樹脂としてロジン変性フェノール樹脂２５．６重量部、植物油として桐油及び亜麻仁油を４１．５重量部、石油系溶媒１２．８重量部、助剤として乾燥剤を０．１重量部とを混合して、赤外光吸収特性を有するインキ組成物を調整した。
【００７０】
上記赤外光吸収特性を有するインキ組成物を用い、白色紙上にアプリケータを用い実施例４の印刷物を作製した。硫酸バリウム又は酸化アルミニウムの分光反射率を１００％とした場合に、分光反射率が７０％程度以下で第１の吸収帯域を１０９０ｎｍ付近にピークを示し、分光反射率が７０％程度以下で第２の吸収帯域を１２５０ｎｍ付近にピークを示し、分光反射率が７０％程度以下で第３の吸収帯域を１４００ｎｍ〜１６００ｎｍ付近にピークを示し、分光反射率が８０％程度以上で第１の反射帯域を１０００ｎｍ付近にピークを示し、分光反射率が８０％程度以上で第２の反射帯域を１１５０ｎｍ付近にピークを示し、分光反射率が８０％程度以上で第３の反射帯域を１３００ｎｍ付近にピークを示していた。
【００７１】
上記実施例４の印刷物を識別装置によって読み取ることにより、三つの吸収帯域と、三つの反射帯域とを検出して真偽判別ができるため、従来の１つの吸収帯域又は１つの反射帯域で真偽判別していたものよりも真偽判別効果が優れる。
【００７２】
(実施例５)
酸化ネオジウムを１０重量部、酸化ジスプロシウム５重量部、体質顔料として炭酸カルシウム５重量部、合成樹脂としてロジン変性フェノール樹脂２５．６重量部、植物油として桐油及び亜麻仁油を４１．５重量部、石油系溶媒１２．８重量部、助剤として乾燥剤を０．１重量部とを混合して、赤外光吸収特性を有するインキ組成物を調整した。
【００７３】
上記赤外光吸収特性を有するインキ組成物を用い、白色紙上にアプリケータを用い実施例５の印刷物を作製した。硫酸バリウム又は酸化アルミニウムの分光反射率を１００％とした場合に、分光反射率が７０％程度以下で第１の吸収帯域を７６０ｎｍ付近にピークを示し、分光反射率が７０％程度以下で第２の吸収帯域を８１０ｎｍ付近にピークを示し、分光反射率が７０％程度以下で第３の吸収帯域を１２５０ｎｍ付近にピークを示し、分光反射率が９０％程度以上で第１の反射帯域を７８０ｎｍ付近にピークを示し、分光反射率が９０％程度以上で第２の反射帯域を８５０ｎｍ付近にピークを示し、分光反射率が９０％程度以上で第３の反射帯域を１３００ｎｍ付近にピークを示していた。
【００７４】
上記実施例５の印刷物を識別装置によって読み取ることにより、三つの吸収帯域と、三つの反射帯域とを検出して真偽判別ができるため、従来の１つの吸収帯域又は１つの反射帯域で真偽判別していたものよりも真偽判別効果が優れる。
【００７５】
(実施例６)
α-酸化鉄を１０重量部、酸化ジスプロシウム５重量部、体質顔料として炭酸カルシウム５重量部、合成樹脂としてロジン変性フェノール樹脂２５．６重量部、植物油として桐油及び亜麻仁油を４１．５重量部、石油系溶媒１２．８重量部、助剤として乾燥剤を０．１重量部とを混合して、赤外光吸収特性を有するインキ組成物を調整した。
【００７６】
上記赤外光吸収特性を有するインキ組成物を用い、白色紙上にアプリケータを用い実施例６の印刷物を作製した。硫酸バリウム又は酸化アルミニウムの分光反射率を１００％とした場合に、分光反射率が４０％程度以下で第１の吸収帯域を７８０ｎｍ〜９４０ｎｍ付近にピークを示し、分光反射率が６０％程度以下で第２の吸収帯域を１２５０ｎｍ付近にピークを示し、分光反射率が８０％程度以上で第１の反射帯域を１０５０ｎｍ〜１２００ｎｍ付近にピークを示し、分光反射率が８０％程度以上で第２の反射帯域を１２８０ｎｍ〜１４００ｎｍ付近にピークを示していた。
【００７７】
上記実施例６の印刷物を識別装置によって読み取ることにより、二つの吸収帯域と、二つの反射帯域とを検出して真偽判別ができるため、従来の一つの吸収帯域又は一つの反射帯域で真偽判別していたものよりも真偽判別効果が優れる。
【００７８】
実施例１乃至６記載の実施例に用いた赤外光吸収特性を有するインキ組成物は赤外光吸収特性を有するインキ組成物１００重量部中に少なくとも一種類以上の赤外光吸収材料１５重量部を配合したもので、この赤外光吸収特性を有するインキ組成物を白色紙上にインキ膜厚は１２．５μｍで印刷物を作製し、可視光及び近赤外領域の分光反射率を測定したものであって、よって本発明は、実施例１乃至６記載の実施例の配合割合、基材の分光反射率、インキ膜厚の厚さ及び分光反射率に本発明は限定されるものではなく、分光反射率は赤外光吸収材料の配合割合、基材の色及びインキ膜厚の厚さによって、可視光及び赤外領域の分光反射率は異なるものである。
【産業上の利用可能性】
【００７９】
従来の赤外光吸収特性を有するインキ組成物によって印刷された印刷物は真偽判別は一つのピークで真偽判別を行っていたが、本発明の印刷物は少なくとも二のピークで真偽判別が行えるため、貴重印刷物として最適な用途となる。
【図面の簡単な説明】
【００８０】
【図１】印刷物１ａとその分光反射率のスペクトルを示す図である。
【図２】印刷物１ｂとその分光反射率のスペクトルを示す図である。
【図３】印刷物１ｃとその分光反射率のスペクトルを示す図である。
【図４】印刷物１ｄとその分光反射率のスペクトルを示す図である。
【図５】印刷物１ｅとその分光反射率のスペクトルを示す図である。
【図６】印刷物１ｆとその分光反射率のスペクトルを示す図である。
【図７】印刷物の識別方法のフローチャートを示す図である。
【図８】印刷物の識別装置を示す図である。
【図９】印刷物の識別装置を示す図である。
【図１０】印刷物１ｇを示す図である。
【符号の説明】
【００８１】
１ａ、１ｂ、１ｃ、１ｄ、１ｅ、１ｆ、１ｇ          印刷物
２ａ、２ｂ、２ｃ、２ｄ、２ｅ、２ｆ、２ｇ          印刷部分
Ａ          第１の吸収帯域
Ｂ          第２の吸収帯域
Ｃ          第３の吸収帯域
Ｄ          第１の反射帯域
Ｅ          第２の反射帯域
Ｆ          第３の反射帯域
１１        照射部
１２        検出部
１３        演算部
１４        赤外線バンドパスフィルタ
１５ａ      第１の印刷部分
１５ｂ      第２の印刷部分
【図１】
2005246821.tif 000003
【図２】
2005246821.tif 000004
【図３】
2005246821.tif 000005
【図４】
2005246821.tif 000006
【図５】
2005246821.tif 000007
【図６】
2005246821.tif 000008
【図７】
2005246821.tif 000009
【図８】
2005246821.tif 000010
【図９】
2005246821.tif 000011
【図１０】
2005246821.tif 000012